(57)【要約】【課題】メスコネクタの長さ寸法を短くする。【解決手段】  メスコネクタ１は、オスコネクタ８が開口部２ａから差し込まれてオスコネクタ８と接続可能な筒状のメスコネクタ本体２を備える。メスコネクタ本体２の外面には、開口部２ａ側の端縁に対してメスコネクタ本体２の軸方向へ間隔を存した位置から開口部２ａ側に向かって延びる連結部３が設けられている。連結部３のオスコネクタ８側には、オスコネクタ８と解除自在に係合可能な爪部５が設けられている。【選択図】図１
2019005053.tif 000002
【特許請求の範囲】
【請求項１】
オスコネクタが開口部から差し込まれて前記オスコネクタと接続可能な筒状のメスコネクタ本体を備えるメスコネクタであって、
前記メスコネクタ本体の外面には、前記開口部側の端縁に対して前記メスコネクタ本体の軸方向へ間隔を存した位置から前記オスコネクタ側に向かって延びる連結部が設けられ、
前記連結部の前記オスコネクタ側には、前記オスコネクタと解除自在に係合可能な係合部が設けられていることを特徴とするメスコネクタ。
【請求項２】
請求項１に記載のメスコネクタであって、
前記連結部には、環状部が設けられ、
前記係合部は前記環状部を介して前記連結部に設けられており、
前記環状部の周方向において、前記係合部の前記環状部に接続する位置と前記連結部の前記環状部に接続する位置とが異なることを特徴とするメスコネクタ。
【請求項３】
請求項２に記載のメスコネクタであって、
前記環状部には、前記オスコネクタが前記メスコネクタ本体に差し込まれて前記係合部と係合している状態で、前記メスコネクタ本体に対する前記オスコネクタの相対的な回転を阻止する回り止め部が設けられていることを特徴とするメスコネクタ。
【請求項４】
請求項１から請求項３の何れか１項に記載のメスコネクタであって、
前記メスコネクタ本体の内周面には、複数の種類のテーパ部が設けられていることを特徴とするメスコネクタ。
【請求項５】
請求項１から請求項４の何れか1項に記載のメスコネクタであって、
前記環状部には、前記係合部と係合する前記オスコネクタの被係合部とが係合できない状態での前記被係合部の前記環状部内への侵入を阻止する阻止部が設けられていることを特徴とするメスコネクタ。
【発明の詳細な説明】
【技術分野】
【０００１】
本発明は、例えば、医療用輸液ラインなどに用いられるコネクタであって、オスコネクタが差し込み可能なメスコネクタに関する。
【背景技術】
【０００２】
従来、例えば、医療用輸液ラインなどに用いられるコネクタであって、オスコネクタが差し込み可能なメスコネクタが知られている（例えば、特許文献１参照）。
【先行技術文献】
【特許文献】
【０００３】
【特許文献１】実開平２−４５７５９号公報
【発明の概要】
【発明が解決しようとする課題】
【０００４】
メスコネクタには、オスコネクタが差し込まれた状態で意図せずにオスコネクタが脱落することを防止すべく、メスコネクタの差し込み口の開口端縁からオスコネクタの外周に沿って連結部を伸ばし、連結部の先端にオスコネクタの外周に設けられた凸部と係合する係合部を設けることが考えられる。
【０００５】
しかしながら、メスコネクタの開口端縁から連結部を伸ばすため、メスコネクタが比較的大きくなり、メスコネクタが患者と接触したときに、患者に不快感を与える虞がある。
【０００６】
本発明は、以上の点に鑑み、比較的短くすることができるメスコネクタを提供することを目的とする。
【課題を解決するための手段】
【０００７】
［１］上記目的を達成するため、本発明は、
オスコネクタ（例えば、実施形態のオスコネクタ８。以下同一。）が開口部（例えば、実施形態の開口部２ａ。以下同一。）から差し込まれて前記オスコネクタと接続可能な筒状のメスコネクタ本体（例えば、実施形態のメスコネクタ本体２。以下同一。）を備えるメスコネクタ（例えば、実施形態のメスコネクタ１。以下同一。）であって、
前記メスコネクタ本体の外面には、前記開口部側の端縁に対して前記メスコネクタ本体の軸方向へ間隔を存した位置から前記開口部側に向かって延びる連結部（例えば、実施形態の連結部３。以下同一。）が設けられ、
前記連結部の前記オスコネクタ側には、前記オスコネクタと解除自在に係合可能な係合部（例えば、実施形態の爪部５。以下同一。）が設けられていることを特徴とする。
【０００８】
本発明によれば、従来品の如く、メスコネクタの差し込み口の開口端縁からオスコネクタの外周に沿って連結部が延びておらず、開口部側の端縁から間隔を存した位置から開口部側に向かって連結部が延びているため、軸方向の長さを従来よりも短くすることができる。これにより、患者へ与える不快感を抑制することができる。
【０００９】
［２］また、本発明においては、連結部には、環状部（例えば、実施形態の環状部４。以下同一。）が設けられ、前記係合部は前記環状部を介して前記連結部に設けられており、前記環状部の周方向において、前記係合部の前記環状部に接続する位置と前記連結部の前記環状部に接続する位置とが異なることが好ましい。
【００１０】
かかる構成によれば、環状部に対して係合部と連結部の位置とが異なるため、容易に連結部と環状部との接続部分を押圧することにより、容易に係合部の係合を解除させることができる。
【００１１】
［３］また、本発明においては、前記環状部には、前記オスコネクタが前記メスコネクタ本体に差し込まれて前記係合部と係合している状態で、前記メスコネクタ本体に対する前記オスコネクタの相対的な回転を阻止する回り止め部（例えば、実施形態の当接部６。以下同一。）が設けられていることが好ましい。
【００１２】
かかる構成によれば、オスコネクタとメスコネクタとが相対的に回転することにより、係合部の係合状態が解除されることを防止することができる。
【００１３】
［４］また、本発明においては、前記メスコネクタ本体の内周面には、複数の種類のテーパ部（例えば、実施形態のテーパ部７ａ〜７ｃ。以下同一。）が設けられていることが好ましい。
【００１４】
かかる構成によれば、複数種類のテーパ部を備えるオスコネクタと接続可能となり、メスコネクタの汎用性を向上させることができる。
【００１５】
［５］また、本発明においては、前記環状部には、前記係合部と係合する前記オスコネクタの被係合部（例えば、実施形態のフランジ１０、フック部１１。以下同一。）とが係合できない状態での前記被係合部の前記環状部内への侵入を阻止する阻止部（例えば、実施形態のリブ９。以下同一。）が設けられていることが好ましい。
【００１６】
かかる構成によれば、係合部と被係合部の位置がずれた状態でオスコネクタをメスコネクタに接続しようとしても、被係合部が阻止部に引っ掛かって接続を阻止することができる。これにより、メスコネクタにオスコネクタを誤った状態で接続することを防止することができる。
【図面の簡単な説明】
【００１７】
【図１】実施形態のメスコネクタを示す正面図。
【図２】実施形態のメスコネクタを示す側面図。
【図３】実施形態のメスコネクタを示す平面図。
【図４】実施形態のメスコネクタを示す底面図。
【図５】実施形態のメスコネクタを示すＶ−Ｖ線切断断面図。
【図６】実施形態のメスコネクタを示すＶＩ−ＶＩ線切断断面図。
【図７】実施形態のメスコネクタのロック解除方法を示す説明図。
【図８】実施形態のメスコネクタに接続可能なオスコネクタの例を示す説明図。
【図９】実施形態のメスコネクタにオスコネクタを接続した状態を示す説明図。
【発明を実施するための形態】
【００１８】
本発明の実施の形態を図１から図９を参照して説明する。
【００１９】
図１に示すように、本実施形態のメスコネクタ１は、円筒状のメスコネクタ本体２と、メスコネクタ本体２の外周面に設けられた一対の連結部３，３と、を備えている。図２は、メスコネクタ１の側面図である。
【００２０】
図３の平面図を参照して、メスコネクタ本体２は、オスコネクタが差し込み可能な開口部２ａを備えている。図４はメスコネクタ１の底面図、図５は図３のＶ−Ｖ線切断断面図、図６は図３のＶＩ−ＶＩ線切断断面図である。
【００２１】
一対の連結部３，３は、メスコネクタ本体２の外周面であって、開口部２ａ側の端縁に対してメスコネクタ本体２の軸方向へ間隔を存した位置に接続されており、開口部２ａに差し込まれるオスコネクタ側に向かって延びている。
【００２２】
連結部３の先端には、メスコネクタ本体２と同心の環状部４が設けられている。環状部４の内周面には、連結部３，３の接続位置から９０度ずれた位置に径方向内側へ突出する一対の爪部５，５が設けられている。本実施形態においては、この一対の爪部５，５が本発明の係合部に該当する。
【００２３】
図７に示すように、連結部３，３は押圧し易いように幅広に形成されており、連結部３，３を押圧することにより、環状部４が楕円形状に変形して、爪部５，５のオスコネクタとの係合が解除されるように構成されている。
【００２４】
また、環状材４の内周面には、メスコネクタ本体２の開口部２ａに差し込まれたオスコネクタがメスコネクタ本体２に対して相対的に回転することを阻止すべく、オスコネクタのフランジなどに周方向から当接可能な当接部６が径方向内方に突出して設けられている。
【００２５】
メスコネクタ本体２の内周面には、テーパ部７が設けられている。テーパ部７は、それぞれ傾斜角度の異なる３種類の第１テーパ部７ａ、第２テーパ部７ｂ、第３テーパ部７ｃで構成されている。第１から第３のテーパ部７ａ〜７ｃのうち何れか１つをルアーテーパ部（１００ｍｍあたり直径が６ｍｍ小さくなるテーパ部。６／１００テーパ部。）としてもよい。
【００２６】
図８Ａ〜図８Ｅは、様々な種類のオスコネクタ８を示している。図９Ａ〜図９Ｅは、図８Ａ〜図８Ｅのオスコネクタ８をメスコネクタ本体２に差し込んだ状態を示している。このように、本実施形態のメスコネクタ１は、３種類のテーパ部７ａ〜７ｃを備えるため、様々なオスコネクタ８との接続が可能となり、メスコネクタ１の汎用性が向上される。
【００２７】
また、図９Ａ〜図９Ｅから、メスコネクタ本体２に差し込まれたオスコネクタ８が意図せずに脱落することを阻止すべく爪部５がオスコネクタ８にしっかりと係合していることが分かる。また、メスコネクタ本体２に差し込まれたオスコネクタ８は、そのフランジなどが周方向から当接部に接触するため、オスコネクタ８とメスコネクタ本体２との相対回転が阻止され、爪部５とオスコネクタ８とが意図せずに解除されることを防止している。
【００２８】
本実施形態のメスコネクタ１によれば、従来品の如く、メスコネクタの差し込み口の開口端縁からオスコネクタの外周に沿って連結部が延びておらず、開口部２ａ側の端縁から間隔を存した位置から開口部２ａからメスコネクタ本体２に差し込まれるオスコネクタ側に向かって連結部３が延びている。このため、メスコネクタ１の軸方向の長さを従来よりも短くすることができ、メスコネクタ１が患者に接触しても、患者へ与える不快感を抑制することができる。
【００２９】
また、本実施形態のメスコネクタ１によれば、環状部４に対して爪部５，５と連結部３，３との接続位置が９０度異なる。
【００３０】
ここで、爪部５，５が連結部３，３と環状部４の周方向において同じ位置に設けられている場合、爪部５，５のオスコネクタ８との係合を解除するためには、爪部５，５及び連結部３，３が接続された環状部４の部分に対して９０度周方向にずれた部分の環状部４を径方向内側へ押圧することにより、爪部５，５の解除操作が行われることとなる。しかしながら、連結部３，３が接続された環状部４の部分は連結部３，３の存在により剛性が比較的高くなってしまうため、爪部５，５を解除し難い。
【００３１】
そこで、本実施形態のメスコネクタ１では、環状部４に対して爪部５，５と連結部３，３との接続位置を９０度異ならせることにより、爪部５，５が設けられた環状部４の部分が径方向外方へ比較的変形し易くなり、連結部３，３と環状部４との接続部分を押圧することにより、爪部５とオスコネクタ８との係合を容易に解除させることができる。
【００３２】
なお、本実施形態においては、メスコネクタ本体２の内周面に３種類のテーパ部７ａ〜７ｃを備えるテーパ部７を説明したが、本発明のテーパ部は、３種類に限らず、１種類でも、２種類でも、４種類以上であってもよい。
【００３３】
また、環状部４は無くてもよい。この場合、爪部５は、例えば、連結部３の先端にもうけ、連結部３を径方向外側へ引っ張ることにより爪部５を解除するように構成してもよい。
【００３４】
また、本実施形態の環状部４の内周面には、連結部３に対応する部分に位置させて径方向内方へ延びるリブ９が設けられている。これにより、爪部５と係合するオスコネクタ８の部分（例えば、フランジ１０）を誤って爪部５が存在しない連結部３に対応する位置でオスコネクタ８とメスコネクタ１とを接続しようとしても、リブ９にオスコネクタ８の爪部５と係合する部分（例えば、フランジ１０）が引っ掛かって接続が阻止される。従って、オスコネクタ８とメスコネクタ１との誤った接続をリブ９で阻止することができる。
【００３５】
なお、被係合部としてフランジ１０を例示したが、本発明の被係合部はこれに限らず、他のものであってもよい。例えば、図８Ａ、図８Ｂ、図９Ａ、図９Ｂに示すようなフック部１１であってもよい。また、阻止部としてリブ９を用いて説明したが、本発明の阻止部はこれに限らず、他のものであってもよい。
【符号の説明】
【００３６】
１…メスコネクタ、  ２…メスコネクタ本体、  ２ａ…開口部、  ３…連結部、  ４…環状部、  ５…爪部（係合部）、  ６…当接部（回り止め部）、  ７…テーパ部、  ７ａ…第１テーパ部、  ７ｂ…第２テーパ部、  ７ｃ…第３テーパ部、  ８…オスコネクタ、  ９…リブ（阻止部）、  １０…フランジ（被係合部）、  １１…フック部（被係合部）。
【図１】
2019005053.tif 000003
【図２】
2019005053.tif 000004
【図３】
2019005053.tif 000005
【図４】
2019005053.tif 000006
【図５】
2019005053.tif 000007
【図６】
2019005053.tif 000008
【図７】
2019005053.tif 000009
【図８】
2019005053.tif 000010
【図９】
2019005053.tif 000011